(57)【特許請求の範囲】
【請求項１】
自動車の拘束手段に対し少なくとも１つの点火素子（６，７，８）を点火するための方法において、
１つ又は複数の点火素子に対して、点火命令（３）を制御装置（２）から点火装置（５）へと伝送するステップと、
点火命令の、制御装置から点火装置への伝送を、ｎ回繰返すステップとを有し、但しｎは１以上であり、
ｎ＋１個の伝送された点火命令（３）を点火装置（５）において受信し、遅延する評価処理するステップと、
ｎ＋１個の点火命令の最後のものを受信した後に、点火装置（５）により点火素子を点火するステップとを有する、
自動車の拘束手段に対し少なくとも１つの点火素子を点火するための方法。
【請求項２】
１つ又は複数の点火素子（６，７，８）に対する点火制御が、少なくとも１回繰返される、請求項１に記載の方法。
【請求項３】
１つ又は複数の点火素子（６，７，８）が順次点火される、請求項１又は２に記載の方法。
【請求項４】
自動車の拘束手段に対し少なくとも１つの点火素子（６，７，８）を点火するための装置において、
ｎ＋１個の同一の点火命令（３）を発生するための制御装置（２）と、
前記ｎ＋１個の点火命令を受信するまで、遅延装置（１４，２０，２１，２２，２３，２９，３０）により、点火命令を遅延した後に発生された点火信号を１つ又は複数の点火素子（６，７，８）に接続することにより、１つ又は複数の点火素子（６，７，８）を点火するための点火装置（５）と、
点火命令（３）を制御装置（２）から点火装置（５）に伝送するための伝送装置（４）とを具備し、
ｎ＋１個の点火命令（３）の最後のものを受信した後に初めて、点火装置（５）により、１つ又は複数の点火素子（６，７，８）の点火が行われる、自動車の拘束手段に対し少なくとも１つの点火素子を点火するための装置。
【請求項５】
制御装置（２）がコーディングされた点火命令（３）を送出し、点火装置（５）が点火命令のデコーディングのための点火命令復号化器（１２，１９，２７）を備えている、請求項４に記載の装置。
【請求項６】
点火装置（５）が複数の点火素子（６，７，８）を順次点火する、請求項４又は５に記載の装置。
【発明の詳細な説明】
【０００１】
本発明は、自動車の拘束手段に対し少なくとも１つの点火素子を点火するための方法および装置に関する。
【０００２】
自動車の拘束手段をトリガするための装置は通常、事故検知センサ、該センサに後置接続されている制御装置、該制御装置から空間的に分離して配置されており且つ当該制御装置と線を介して接続されている点火装置、ならびに該点火装置と電気的に接続された、拘束手段に対する少なくとも１つの点火素子（例えば点火ピル）を有している。
【０００３】
その際たとえば、複数の点火ピルが点火命令により同時に点火すべきであるのに、全ての点火ピルが第１の点火命令を検知する訳ではない及び／又は点火されない場合、通常点火バスとして構成されている、制御装置と点火装置との間の伝送区間が、場合によっては障害を受けており、もはや更なる点火命令が伝送できなくなることがある。これは例えば、個々の好ましくない異常爆発により、バスに短絡または遮断が生じる場合である。それから、残っている点火ピルの点火はもはや不可能である。というのは、これ以上の点火命令が送信されないからである。
【０００４】
本発明の課題は、より確実に障害を防止する、自動車の拘束手段に対し少なくとも１つの点火素子を点火するための方法および装置を提供することである。
【０００５】
上記課題は、自動車の拘束手段に対し少なくとも１つの点火素子を点火するための方法において、１つ又は複数の点火素子に対して、点火命令を制御装置から点火装置へと伝送するステップと、点火命令の、制御装置から点火装置への伝送を、ｎ回繰返すステップとを有し、但しｎは１以上であり、ｎ＋１個の伝送された点火命令を点火装置において受信し、遅延する評価処理するステップと、ｎ＋１個の点火命令の最後のものを受信した後に、点火装置により点火素子を点火するステップとを有する、自動車の拘束手段に対し少なくとも１つの点火素子を点火するための方法により解決される。
また、上記課題は、自動車の拘束手段に対し少なくとも１つの点火素子を点火するための装置において、ｎ＋１個の同一の点火命令を発生するための制御装置と、ｎ＋１個の点火命令を受信するまで、遅延装置により、点火命令を遅延した後に発生された点火信号を１つ又は複数の点火素子に接続することにより、１つ又は複数の点火素子を点火するための点火装置と、点火命令を制御装置から点火装置に伝送するための伝送装置とを具備し、ｎ＋１個の点火命令の最後のものを受信した後に初めて、点火装置により、１つ又は複数の点火素子の点火が行われる、自動車の拘束手段に対し少なくとも１つの点火素子を点火するための装置により解決される。
【０００６】
本発明では、点火命令をまず複数回（例えば３回）伝送し、この時間の間に点火を遅延し、前記多重伝送の後に初めて点火素子の点火を、例えば第１の点火命令により可能にすることが意図されている。
【０００７】
詳細にはこれは、次のステップを有する方法により達成される。まず、１つの点火素子又は複数の点火素子に対して、１つの点火命令、引き続き該点火命令が、ｎ回繰返し制御装置から点火装置へと伝送される。その際、ｎは１以上である。この後、ｎ＋１個の伝送された点火命令が点火装置において評価処理され、１つの又は複数の点火素子が、点火装置により、ｎ＋１個の最後の点火命令の伝送後にたとえば第１の点火命令によって点火される。
【０００８】
このとき有利には、故障のある場合に未だ点火されていない点火素子を点火する目的で、点火素子の点火制御が少なくとも１回繰返されるか、又は簡単にするため、伝送された点火命令の数と関連付けられる。さらに、複数の点火素子を同時に点火するほかに、点火素子を時間的にずらして点火するように構成することもできる。したがって、点火素子は順次点火される。
【０００９】
本発明の装置は、ｎ＋１個の同一の点火命令を発生するための制御装置と、点火信号を点火素子に接続することにより、少なくとも１つの点火素子を点火するための点火装置と、点火命令を制御装置から点火装置に伝送するための伝送装置とを備えている。この場合、ｎ＋１個の点火命令の最後のものを伝送した後にようやく、例えば第１の点火命令によって、点火装置により点火素子の点火が行われる。
【００１０】
ｎ＋１個の点火命令の最後のものを伝送した後に１つの又は複数の点火素子の点火が行われることを保証する目的で、制御装置には、点火信号を遅延するための遅延装置が設けられている。その際、遅延装置は第１の点火命令によりトリガされ、全ての点火命令を伝送するのに必要な時間よりも長い遅延時間を有している。遅延装置を用いることにより、１つの又は複数の点火素子を次のように作動できるようにする。すなわち、点火が点火命令の伝送の障害になることはない及び／又は点火信号の複数回の繰返しにより初めて点火が行われる。
【００１１】
より確実に障害を防止する目的で、点火命令は制御装置においてコーディングされ、コーディングされた形で点火装置に伝送できる。点火装置は点火命令復号化器を備えており、そのため、点火命令はデコーディングされ、そこから点火素子に対する点火信号が生ぜしめられる。
【００１２】
また、複数の点火素子を点火装置により順次点火するように構成することができる。このため点火素子に対し電流供給を均一に行える。
【００１３】
次に本発明を実施の形態に基づき図を用いて詳細に説明する。
【００１４】
図１は、複数の点火素子を同時に点火するための本発明の装置の第１の実施例を示す、
図２は、複数の点火素子を時間をずらして点火するための本発明の装置の第２の実施例を示す、
図３は、複数の点火素子を時間をずらして点火するための本発明の装置の第３の実施例を示す。
【００１５】
図１に示す実施例では、衝突センサ１が設けられている。この衝突センサに、該衝突センサ１から供給される信号を評価処理するための制御装置２が後置接続されている。衝突のあった場合、衝突は制御装置２に、センサ１の相応する信号により伝達され、これに基づき、前記複数の、例えば３つの点火命令３が線４を介して、点火装置５に送信される。点火命令３は点火装置５により識別される。次いで、所定数の同一の点火命令３により（例えば、実施例では３つの点火命令に相応して、まとめて伝送される点火命令３の数）、点火素子として設けられている３つの点火ピル６，７，８が、点火装置５により点火される。このため、第１の遅延された点火命令が生じた場合、十分な強さの点火信号（電流、電圧）が点火ピル６，７，８に加えられる。点火ピルの給電は、基準電位１０及び供給電位１１を有する詳しく図示していない給電電圧源によって行われる。点火ピル６，７，８を点火する際に給電電圧源の電圧降下を防止するように、さらにバッファコンデンサ９が、基準電位１０と供給電位１１との間に接続されている。
【００１６】
点火装置５は復号化器１２を含んでおり、該復号化器は、制御装置２により符号化器１３を用いてコーディングされた点火命令３をデコーディングする。復号化器１２には遅延装置１４が後置接続されており、該遅延装置は、全ての点火命令３が制御装置２から点火装置５に伝送されるまで、点火命令３を遅延させる。これはつまり、既に点火命令３の最後のものが制御装置２から点火装置５に伝送された場合、遅延装置１４の出力側に、最初に送信された点火命令が現れることを意味する。
【００１７】
遅延装置１４の出力は３つのトランジスタ１５，１６，１７のベース端子を制御しており、これらのエミッタ−コレクタ区間は点火ピル６，７，８に対して直列に、基準電位１０と供給電位１１との間に接続されている。したがって、相応する数の点火命令が発生した場合、復号化器により第１の点火信号が準備され、該点火信号は遅延装置１４によって遅延される。次いで、遅延された信号はトランジスタ１５，１６及び１７を導通接続し、このことにより、これらのトランジスタは、点火ピル６，７，８に対して点火信号を供給できるようになる。この場合、点火ピル６，７，８は給電電圧源に対して接続される。このことによって、前記点火ピルは実質的に同時に点火される。
【００１８】
これに代わる方法として、次のように構成することもできる。すなわち、遅延装置が復号化器の前に接続されて、復号化器は復号化器１２の出力側を直接制御する。これはつまり、点火命令３が遅延されて復号化器１２に供給され、これに引続いてトランジスタ１５，１６，１７が、点火ピル６，７，８を給電電圧源に接続することを意味する。
【００１９】
さらに、復号化器および遅延装置を次のように構成してもよい。すなわち、点火命令３のそれぞれに相応して、トランジスタ１５，１６，１７の導通接続が行われ、その際、点火ピル６，７，８は、１つの点火命令によってだけでは導通できず（個々の点火信号の出力は小さすぎる）、僅かな時間間隔にて連続する複数の点火信号の後に初めて（複数の点火命令３に相応して）点火される。
【００２０】
図２に示した実施例は、図１の実施例と比べて次の点で変更されている。つまり、点火装置５の代わりに点火装置１８が用いられる。点火装置１８は３つの復号化器１９ａ，１９ｂ，１９ｃを備えており、これらの復号化器は、線４を介して点火命令３を制御装置２から受取る。復号化器１９ａ，１９ｂ，１９ｃにそれぞれ、遅延装置２０，２１，２２が後置接続されており、これらの入力側はそれぞれ、復号化器１９ａ，１９ｂ，１９ｃの出力側に接続されている。遅延装置２０，２１，２２は、相互に異なった長さの遅延時間を有しており、その際、遅延時間のそれぞれは、制御装置２から点火装置１８に３つの点火命令３を伝送するのに必要な時間より長くなっている。遅延装置２０，２１，２２にそれぞれ、点火ピル６，７，８を給電電圧に接続するためのトランジスタ２３，２４，２５が後続している。このようにして、相互に異なっているが伝送時間に比して長い、遅延装置２０，２１，２２の遅延時間に基づいて、点火ピル６，７，８の連続的な点火が生ぜしめられる。このことは、とりわけ、次のような利点を有する。すなわち、給電電圧源（及びコンデンサ９）は、点火ピル６，７，８が同時に点火する場合ほど大きく負荷されないのである。
【００２１】
図３の実施例は、図２に示した実施例とは次の点で異なる。すなわち、図１の点火装置５の代わりに図３では、点火装置２６が用いられる。点火装置２６は、線４を介して制御装置２から点火命令３を受信するための復号化器２７を具備している。復号化器に遅延装置２８が後続しており、該遅延装置には、遅延装置２９およびこれに引続いて遅延装置３０が後置接続されている。遅延装置２８，２９，３０のそれぞれの出力側に、トランジスタ３１，３２，３３が接続されており、該トランジスタは、点火ピル６，７，８を給電電圧に接続するために設けられている。この場合、復号化器２７に直接後続している遅延装置２８は、点火命令３を伝送するのに必要な時間よりも長い遅延時間を有している。これに対して、遅延装置２９及び３０の遅延時間は、自由に選択できる。
【００２２】
図示の実施形態は、点火素子（点火ピル）のために、点火命令が多重に制御装置から点火装置へ伝送される、本発明の方法を実施するのに適している。点火装置において、伝送された点火命令が評価処理され、点火命令の伝送後、点火ピルは時間的に遅延されて点火される。この場合、時間遅延は、十分に測定された遅延時間によって又は点火命令の適切な計数により実現できる。
【図面の簡単な説明】
【図１】  複数の点火素子を同時に点火するための本発明の装置の第１の実施例を示す。
【図２】  複数の点火素子を時間をずらして点火するための本発明の装置の第２の実施例を示す。
【図３】  複数の点火素子を時間をずらして点火するための本発明の装置の第３の実施例を示す。
【図１】
0003798695.tif 000002
【図３】
0003798695.tif 000003
【図２】
0003798695.tif 000004